(57)【特許請求の範囲】
【請求項１】
機器に回転自在に取着されるとともに、外周の長手方向に設けられた溝部を有する回転棒と、該回転棒の溝部に挿脱自在な基部と該基部から前記溝部よりも突出させてなる複数の清掃部材とを備えた清掃体と、前記回転棒の端部に配置されたブラケットとからなり、該ブラケットに清掃体取出部を形成し、該清掃体取出部には、前記清掃体の長手方向の動きを規制するストッパー部と、清掃体取出し時に前記ストッパー部を越えた前記清掃体を回転ロータの長手方向の外側にスライドさせるスライド部とを形成したことを特徴とする回転ロータ。
【請求項２】
ブラケットに形成された清掃体取出部に清掃体の抜けを防止する凸部を、前記清掃体の一側面側に形成したことを特徴とする請求項１に記載の回転ロータ。
【発明の詳細な説明】
【技術分野】
【０００１】
本発明は、掃除機のアタッチメントとして使用される床ノズルの回転ロータに関するものである。
【背景技術】
【０００２】
従来より、図８と図９に示すように、床ノズル５０には、回転ロータ２７が使用されている。以下にその構成を説明する。２６は一端が中央通路２５に位置し、他端が電気掃除機本体（図示せず）に接続される吸気パイプ、２７は回転ロータでロータ２８と清掃体２９、軸３０と減速プーリ３１Ａを有するブラケット３２Ａ、軸３０を有するブラケット３２Ｂ、ブラケット３２Ａ，３２Ｂの外周に取り付けられた起毛布３３より構成され、回転ロータ２７の両端にはワッシャ３４、軸受３５を保持する軸受ホルダー３６が取り付けられ、開口２２の長手方向の両端に設けられた軸受ホルダー保持部３７にこの軸受ホルダー３６を嵌めることにより軸３０が軸受３５に回転自在に支持され、清掃体２９及び起毛布３３の自由端３８はその回転時に開口２２より突出される。回転ロータ２７を構成するロータ２８はアルミニウムやその合金にて押し出し成形された直線状の棒状体であり、その長手方向には外周に開口する一条ないし複数条の清掃体２９を支持するための支持溝４１が設けられている。また、ブラケット３２Ａ、３２Ｂはプラスチック等の硬質樹脂に金属製の軸３０をインサート成形したもので、その外周には全周に起毛布３３を取り付けている。そして、ロータ２８を軸の周りに所定の角度捩りを加えてロータ２８の支持溝４１に清掃体２９を挿入固定することで清掃体２９を螺旋状にし、このロータ２８の両端部にブラケット３２Ａ、３２Ｂを固着することで回転ロータ２７が完成する（特許文献１）。
【０００３】
【特許文献１】特開２００２−１４３０４５号公報
【発明の開示】
【発明が解決しようとする課題】
【０００４】
上記のように構成された従来の回転ロータ２７を回転させることにより、清掃体２９の自由端３８が被清掃面に摺接して塵埃を掻き上げたり、あるいは、拭いたり磨いたりする清掃効果を発揮するものである。しかしながら、回転ロータ２７は、清掃効果を発揮する為に常に高速で回転しているので、清掃を繰り返し行うことにより、清掃体２９が摩耗して清掃効果が落ちたり、或いは、塵埃が清掃体２９自身に付着してしまったりする為、定期的に清掃や交換をする必要がある。
【０００５】
清掃体２９は、その基部をロータ２８の端部から、ロータ２８の外周の長手方向に設けられた支持溝４１に挿入することで、ロータ２８の外径方向への抜けが防止され、更に、ロータ２８の両端にはブラケット３２Ａ、ブラケット３２Ｂが精度保持の為に接着固定されるので、清掃体２９は通常取り外せない構造となっている。
【０００６】
清掃体２９を交換、或いは、メンテナンスの為に取り外すためには、接着部を破壊する力でブラケット３２Ａ又は３２Ｂをロータ２８から引き抜き、清掃体２９の基部をロータ２８の支持溝４１から長手方向にスライドさせて取り出す必要があった。次に、メンテナンスが終了した清掃体２９或いは、新品の清掃体２９をロータ２８の支持溝４１に挿入し、再び、取り外したブラケット３２Ａ又は３２Ｂを接着固定して作業が完了する。その為、清掃体２９の清掃及び、交換作業は非常に手間がかかっていた。  更に、一度接着したブラケット３２Ａ又は３２Ｂには硬化した接着剤が付着している場合があり、これを取り除く作業も必要になる時があった。
【０００７】
更に、この取外し作業を何度も繰り返すと、ブラケット３２Ａ又は３２Ｂの内径が削れ、組立精度が低下することによって、回転ロータ２８の性能低下（回転精度の低下）を招き、掃除性能の低下、芯振れによる振動、及び騒音の増加につながっていた。
このような、精度の低下を防ぐには、新しいブラケット３２Ａ又は３２Ｂを用意する必要があり、この場合は、余分なコストがかかってしまうという欠点を有していた。
【０００８】
本発明は上記点に鑑み、回転ロータの精度を損なうことなく、清掃体の清掃又は交換作業を効率よく行うことができる回転ロータを提供することを目的とする。
【課題を解決するための手段】
【０００９】
請求項１の発明は、回転ロータは、機器に回転自在に取着されるとともに、外周の長手方向に設けられた溝部を有する回転棒と、該回転棒の溝部に挿脱自在な基部と該基部から前記溝部よりも突出させてなる複数の清掃部材とを備えた清掃体と、前記回転棒の端部に配置されたブラケットとからなり、該ブラケットに清掃体取出部を形成し、該清掃体取出部には、前記清掃体の長手方向の動きを規制するストッパー部と、清掃体取出し時に前記ストッパー部を越えた前記清掃体を回転ロータの長手方向の外側にスライドさせるスライド部とを形成したことに特徴を有する。したがって、清掃体の清掃又は交換のために該清掃体を取り外す作業は、ブラケットに形成された清掃体取出部から清掃体を取り出すだけですみ、回転棒の端部に配置されたブラケットを回転棒から取り外さなくてもよい。また、回転ロータの精度を損なうことなく、清掃体を交換することができる。
【００１０】
請求項２の発明は、請求項１の発明において、ブラケットに形成された清掃体取出部に清掃体の抜けを防止する凸部を、前記清掃体の一側面側に形成したことに特徴を有する。したがって、清掃時に清掃体に対して負荷が加わった時に、凸部によって、清掃時に清掃体が上方に浮いて清掃体取出部から抜け落ちることを防止することができる。
【発明の効果】
【００１１】
請求項１の発明では、ブラケットに清掃体取出部を形成したことによって、従来と比較した場合に、清掃体の取り外し作業を容易とすることができ、作業効率を向上させることができる。また、回転ロータの精度を損なうことなく、清掃体を交換することができる。さらに、清掃体のみの交換によって、回転ロータのメンテナンス費用を最小限に抑えることができる。
【００１２】
請求項２の発明では、ブラケットに形成された清掃体取出部に凸部を、清掃体の一側面側に形成したことによって、清掃体の取り外し作業を容易とすることができると共に、清掃時に、清掃体が上方に浮いて清掃体取出部から抜けるのを防止することができる。
【発明を実施するための最良の形態】
【００１３】
次に、本発明の実施形態を図面に基づいて説明する。図１は、本発明に係る回転ロータ１０の平面図であり、図２は、回転棒の斜視図である。図３は、清掃体の斜視図であり、図４は、ブラケットの正面図及び側面図である。図１に示すように、回転ロータ１０は、掃除機等の機器に回転自在に取着されるものであって、外周の長手方向に設けられた溝部１ａを有する回転棒１と、この回転棒１の溝部１ａに挿脱自在な基部２ｂとこの基部２ｂから前記溝部１ａよりも突出させてなる複数の清掃部材２ａとを備えた清掃体２と、回転棒１の両側の端部に配置されたブラケット３、１３とからなるものである。そして、ブラケット３、１３には清掃体取出部４が形成されている。
【００１４】
回転棒１は、外周に開口した溝部１ａを長手方向に４条設けているものであり、アルミニウムやその合金等の材料を使用して、直線状に押出成形の後、両端部に捻り工具をはめて、軸心の周りに捻り加工を行うことによって、溝部１ａを螺旋状にしたものである。尚、回転棒１の製造方法は、所要の強度、精度、重量等を考慮して、様々な方法を採用することができる。例えば、捻り押出成形で、押出しと同時に螺旋溝を形成することもできる。また、回転棒１の材料としては、ＡＢＳ樹脂、ＰＳ樹脂等の合成樹脂を使用することも可能である。
【００１５】
清掃体２は、図３（ａ）に示すように、基部２ｂと、この基部２ｂに植設されたパイル状の繊維からなる清掃部材２ａとからなり、基部２ｂは、上述した回転棒１の溝部１ａに挿脱自在で、清掃部材２ａは、基部２ｂから回転棒１の溝部１ａよりも外方へ突出するように形成される。
【００１６】
尚、図３（ｂ）に示すように、図３（ａ）のパイル状の繊維からなる清掃部材２ａ以外にも可撓性のあるゴムやプラスチックで形成されたブレードを清掃部材２０ａとして、この清掃部材２０ａを基部２０ｂと一体化してなる清掃体２０を使用することもできる。また、どのような清掃部材を使用するかについては、被清掃面によって使い分けることができ、布帛や起毛布も清掃部材として使用することができる。
【００１７】
そして、上述した回転棒１の４条の溝部１ａに清掃体２の基部２ｂを各々挿入固定することで清掃体２を螺旋状にし、この清掃体２が取り付けられた回転棒１の両端部にブラケット３と、ブラケット１３とを固着することで回転ロータ１０が組み立てられる。そして、ブラケット３の端部から外方に突出する軸３ｆが図示しない掃除機用床ノズルの軸受に回転自在に支持され、ブラケット１３の図示しない嵌合片が、床ノズルのギヤと嵌合し、このギヤをモーター等の動力によって回転させて、回転ロータ１０は、床ノズル内で回転するのである。
【００１８】
ブラケット３は、図４に示すように、回転棒１の端部における外周面１ｂが挿入嵌合できるように内壁３ｅが筒状に形成されており、その内径は、回転棒１の外周面１ｂの外径が嵌合した時にガタツキの無い寸法に設定されている。回転棒１の溝部１ａに嵌合する周り止め片３ａ、３ａが上下方向の２箇所に設けられている。
【００１９】
また、左右方向の２箇所には清掃体２を取り出すことができる清掃体取出部４が形成されている。この清掃体取出部４には、図４（ａ）の左側面図に示すように、溝部１ａに清掃体２が挿入された回転棒１の端部が固定された時に、清掃体２の基部２ｂの半分の上方を覆う凸部３ｂが形成されており、この凸部３ｂによって、清掃体２の抜けを防止している。
【００２０】
尚、この凸部３ｂは清掃体２の一側面側に形成されてあるものであり、清掃時に清掃体２に対して、清掃体２の反回転方向に負荷が加わった時に、凸部３ｂによって、清掃体２が清掃時に上方に浮いて清掃体取出部４から抜け落ちることを防止する機能を果たしている。
【００２１】
また、図４（ｂ）の正面図に示すように、ブラケット３の清掃体取出部４にはストッパー部３ｃが形成されてあり、清掃体取出部４に挿入された清掃体２の端部は、このストッパー部３ｃによって長手方向の動きを規制され、固定されている。
【００２２】
さらに、ブラケット３の清掃体取出部４にはスライド部３ｄが形成されており、清掃体２の取り外し時には、清掃体２が前述したストッパー部３ｃを越えた後、基部２ｂの裏面が摺接して、清掃体２の取り外し作業を容易にしている。
【００２３】
図５は、ブラケット１３と清掃体２との位置関係を示した図であり、（ａ）は斜視図、（ｂ）は平面図、（ｃ）はＡ−Ａ断面図、（ｄ）はＢ−Ｂ断面図、（ｅ）及び（ｆ）はＡ−Ａ断面図で清掃体が床面と接触している状態を示す図である。前述したように、回転棒１には４条の溝１ａが螺旋状に形成されており、この４条の溝１ａに挿脱自在な基部２ｂを有する４本の清掃体２が挿入されているのであるが、図５（ａ）及び（ｂ）に示すように、通常の清掃状態では、ブラケット１３の一方の端部では、上下方向の２本の清掃体２の端部はストッパー部３ｃによって、ブラケット１３の清掃体取出部４の中間位置で固定されるようになっている。
【００２４】
一方、上記上下方向の２本の清掃体２に対して垂直方向の２本の清掃体２の端部はブラケット１３の端部と接触する位置で固定されるようになっている。一方、反対側のブラケット３では、図１で示すように、水平方向に清掃体取出部４が形成されるように回転棒１と清掃体２とを固定しており、回転棒１に形成されている螺旋状の溝１ａは両端で１８０度捻られていることから、上述した一方のブラケット１３で、ブラケット１３の清掃体取出部４の中間位置で固定された２本の清掃体２の端部は、ブラケット３の端部と接触する位置で固定されるようになっている。
【００２５】
また、上述した一方のブラケット１３で、ブラケット１３の端部と接触する位置で固定された２本の清掃体２の端部は、ブラケット３の清掃体取出部４の中間位置で固定されるようになっている。このような構成とすることによって、清掃時の回転ロータ１０の回転で、４本の清掃体４に均等に負荷が加わることになり、ひずみや、回転ぶれが生じ難く、清掃体２が清掃体取出部４から抜け落ちることの防止にもつながるものである。
【００２６】
また、図５（ｃ）〜図５（ｆ）に示すように、ブラケット１３の凸部３ｂを清掃体２の一側面側に形成していることによって、基部２ｂが外径側に浮き上がろうとするのを凸部３ｂが防ぎ、清掃時に清掃体２が上方に浮いて回転棒１の溝部１ａから離脱するのを防止することができる。尚、凸部３ｂは清掃体２のどちらか一方の側面側に形成されていればよく、図５（ｅ）とは清掃体２の回転方向が反対の図５（ｆ）の場合でも清掃時に清掃体２が上方に浮いて回転棒１の溝部１ａから離脱するのを防止することができる。
【００２７】
また、上述したように、回転棒１の端部に挿入嵌合されたブラケット３、１３には、各々に２条分の清掃体取出部４を１８０度反対側の位置に形成しているので、一方のブラケット３から、２条の清掃体２を取り出し、他方のブラケット１３から残りの２条の清掃体２を取り出すことができるようにしている。これによって、４本の清掃体２を同じ長さで構成でき、しかも長手方向にずらして配置することになるので、清掃体２の長手方向の長さよりも、回転ロータ１０の清掃幅は大きくなり、清掃効率を向上させることができる。
【００２８】
図６は、清掃体２を回転ロータ１０から取り外す状態又は挿入する状態を示す斜視図と正面図である。これら図に示すように、上下方向に設置された２本の清掃体２は、ブラケット３に形成された清掃体取出部４のストッパー部３ｃを越えてスライド部３ｄから、回転ロータ１０の長手方向の外側にスライドさせることによって、基部２ｂの裏面がスライド部３ｄを滑りながら容易に取り出すことができる。
【００２９】
一方、左右方向に設置された２本の清掃体２は、反対側のブラケット３に形成された清掃体取出部４から、同様にスライドさせることによって、容易に取り出すことができる。ここで、清掃体２をメンテナンスする手順は以下のとおりとなる。まず、回転ロータ１０を床ノズル等の軸受（図示せず）から取り外す。
【００３０】
次に、取り外した回転ロータ１０の清掃体２の端部を指でつまんで、清掃体取出部４のストッパー部３ｃを越えてスライド部３ｄから回転ロータ１０の長手方向の外側にスライドさせることによって、４本の清掃体２を回転棒１から取り外す。尚、清掃体２は、指でつまむか、ペンチ状の専用工具を使用して回転棒１から取り外される。
【００３１】
そして、清掃体２に付着した塵埃を取り除くか、新しい清掃体２を用意した後、清掃体２の端部を指でつまんで、清掃体取出部４のスライド部３ｄから回転棒１の溝部１ａに挿入し、４本の清掃体２の端部がストッパー部３ｃで固定されたことを確認した後、回転ロータ１０を床ノズル等の軸受に装着してメンテナンス作業は終了する。
【００３２】
図７（ａ）は、本発明の第２実施形態を説明するための回転棒１１の斜視図であり、図７（ｂ）は、図７（ａ）におけるＣ−Ｃ断面図である。この図に示すように、回転棒１１の中間部に清掃体取出部４０を形成することもできる。この清掃体取出部４０は回転棒１１の溝１１ａを形成して、清掃体２の基部２ｂを固定している爪１１ｂを削って大きくし、清掃体２の基部２ｂと略同様の幅となるようにしたものであり、４本の清掃体２を取り出すことができるように、清掃体取出部４０は回転棒１１の４箇所に形成されている。
【００３３】
尚、回転棒１１に形成された清掃体取出部４０は単独でも機能するものであるが、前述したブラケット３に形成された清掃体取出部４と併用して用いることも可能である。また、清掃体取出部４、４０を、回転棒１、１１の端部とブラケット３、１３とに連なるように形成することもできる。
【００３４】
尚、本発明の趣旨を逸脱しない範囲において、種々の実施形態をとることができることは言うまでもない。例えば、上記実施形態における回転ロータは、回転棒の４条の溝に４本の清掃体を設置したものであるが、これに限定されるものではなく、回転棒に１条乃至複数の清掃体を設置するものであれば、本発明の適用が可能である。
【産業上の利用可能性】
【００３５】
本発明の回転ロータは、様々な目的に対して使用可能であるが、掃除機用床ノズルに使用する目的以外にも、被清掃面に対する清掃効果が極めて高く、的確、かつ迅速に清掃することができる床面洗浄機、床磨き機等として、広く好適に使用することができる。
【図面の簡単な説明】
【００３６】
【図１】本発明に係る回転ロータの平面図。
【図２】回転棒の斜視図。
【図３】清掃体の斜視図。
【図４】ブラケットの正面図及び側面図。
【図５】ブラケットと清掃体との位置関係を示した図。
【図６】清掃体の回転ロータからの挿脱状態を示す図。
【図７】本発明の第２実施形態を説明するための回転棒の図。
【図８】従来の回転ロータを組込んだ掃除機用床ノズルの平面図。
【図９】従来の回転ロータの斜視図。
【符号の説明】
【００３７】
１、１１  回転棒
２  清掃体
２ａ  清掃部材
２ｂ  基部
３、１３  ブラケット
３ａ  周り止め片
３ｂ  凸部
３ｃ  ストッパー部
３ｄ  スライド部
４、４０  清掃体取出部
１０  回転ロータ
【図１】
0005026894.tif 000002
【図２】
0005026894.tif 000003
【図３】
0005026894.tif 000004
【図４】
0005026894.tif 000005
【図５】
0005026894.tif 000006
【図６】
0005026894.tif 000007
【図７】
0005026894.tif 000008
【図８】
0005026894.tif 000009
【図９】
0005026894.tif 000010